(57)【要約】【課題】  空気中に浮遊する微細な粒子の人体への侵入を確実に遮断することができ、しかも外観上見栄えの良い顔面装着用マスクを提供する。【解決手段】  少なくとも顔面５０ａに密着する接顔部１１ａが弾性部材から構成され接顔部１１ａが顔面５０ａに密着した状態で鼻５１と口５２を覆う通気性を有しないマスク本体１０と、マスク本体１０に設けられマスク本体１０の内側と外側を連通する接続口１２と、接続口１２に着脱自在に接続されるフィルタ部２０と、を備え、フィルタ部２０は、マスク本体１０を覆う保持ケース２１と、保持ケース２１の外面から外方に突出する複数の通気用リブ２４と、複数の通気用リブ２４に支持されるとともに保持ケース２１の外面側を覆い外周部が保持ケース２１の外周縁と接合されるシート状のフィルタ本体２６と、保持ケース２１の外面とフィルタ本体２６の内面との間に形成されマスク本体１０の接続口１２と連通可能な通気路２７とを有する。【選択図】  図１
2011104166.tif 000002
【特許請求の範囲】
【請求項１】
少なくとも顔面に密着する接顔部が弾性部材から構成され、前記接顔部が前記顔面に密着した状態で鼻と口を覆う通気性を有しないマスク本体と、
前記マスク本体に設けられ、前記マスク本体の内側と外側を連通する接続口と、
前記接続口に着脱自在に接続されるフィルタ部と、
を備え、
前記フィルタ部は、前記マスク本体を覆う保持ケースと、前記保持ケースの外面から外方に突出する複数の通気用リブと、前記複数の通気用リブに支持されるとともに前記保持ケースの外面側を覆い外周部が前記保持ケースの外周縁と接合されるカップ状のフィルタ本体と、前記保持ケースの外面と前記通気用リブによって支持された前記フィルタ本体の内面との間に形成され前記マスク本体の接続口と連通可能な通気路とを有している、
ことを特徴とする顔面装着用マスク。
【請求項２】
前記フィルタ本体は、０．０８μ以上の大きさの飛沫粒子を捕捉することが可能であることを特徴とする請求項１に記載の顔面装着用マスク。
【発明の詳細な説明】
【技術分野】
【０００１】
この発明は、空気中に浮遊する微細な粒子の人体への侵入を確実に遮断するための顔面装着用マスクに関する。
【背景技術】
【０００２】
従来からマスク本体をカップ状に形成し、マスク本体が顔面に密着し易いようにした顔面装着用マスクが知られている（例えば、特許文献１参照。）。この顔面装着用マスクは、複数層の不織布をプレス成形してマスク本体をカップ状に形成しており、マスク本体には装着用の耳掛け部が取付けられている。
【０００３】
また、マスク本体に対してフィルタケースを着脱可能とした構造のマスクが知られている（例えば、特許文献２参照。）。
【先行技術文献】
【特許文献】
【０００４】
【特許文献１】特開平１０−２８６３１９号公報
【特許文献２】特開２００２−３０１１６５号公報
【発明の概要】
【発明が解決しようとする課題】
【０００５】
ところで、インフルエンザの予防として顔面装着用マスクを利用することが有効であるが、一般のインフルエンザ予防用のマスクは、特許文献１のように顔面と接触するマスク本体が不織布から構成されているので、顔面とマスク本体とを完全に密着させることが難しい。そのため、インフルエンザウィルスが空気とともに顔面とマスク本体との隙間からマスク本体の内側に容易に流入し、口や鼻を介してインフルエンザウィルスが人体内に侵入するという問題がある。
【０００６】
また、特許文献２のように、顔面とマスク本体とを完全に密着させ、マスク本体にフィルタケースを着脱可能に取付けるマスクの場合は、フィルタ部によってインフルエンザウィルスが人体内に侵入することを阻止することが可能であるが、フィルタケースが顔面の前に突出した状態となるので、外観上見栄えが悪く、例えば接客や通勤などでは使用を躊躇せざるを得ない場合がある。
【０００７】
近年は、毒性の強いウィルスを有する鳥インフルエンザや新型インフルエンザが流行する兆しがあり、これらのウィルスの人体への侵入を確実に遮断でき、しかも外観上見栄えが良く接客や通勤などでも躊躇することなく使用ことができる顔面装着用マスクの開発が望まれる。
【０００８】
そこでこの発明は、空気中に浮遊する微細な粒子の人体への侵入を確実に遮断することができ、しかも外観上見栄えの良い顔面装着用マスクを提供することを目的とする。
【課題を解決するための手段】
【０００９】
上記目的を達成するために請求項１に記載の発明は、少なくとも顔面に密着する接顔部が弾性部材から構成され、前記接顔部が前記顔面に密着した状態で鼻と口を覆う通気性を有しないマスク本体と、前記マスク本体に設けられ、前記マスク本体の内側と外側を連通する接続口と、前記接続口に着脱自在に接続されるフィルタ部と、を備え、前記フィルタ部は、前記マスク本体を覆う保持ケースと、前記保持ケースの外面から外方に突出する複数の通気用リブと、前記複数の通気用リブに支持されるとともに前記保持ケースの外面側を覆い外周部が前記保持ケースの外周縁と接合されるカップ状のフィルタ本体と、前記保持ケースの外面と前記通気用リブによって支持された前記フィルタ本体の内面との間に形成され前記マスク本体の接続口と連通可能な通気路とを有している、
ことを特徴とする顔面装着用マスクである。
【００１０】
この発明によれば、接顔部が弾性部材から構成されているため、マスク本体の接顔部は顔面に沿って容易に変形し、マスク本体は顔面と密着した状態となる。マスク本体および保持ケースは、カップ状のフィルタ本体によって覆われた状態となるので、外観上はカップ状のフィルタ本体のみが見えることになる。
【００１１】
請求項２に記載の発明は、請求項１に記載の顔面装着用マスクにおいて、前記フィルタ本体は、０．０８μ以上の大きさの飛沫粒子を遮断することが可能であることを特徴としている。
【発明の効果】
【００１２】
請求項１に記載の発明によれば、マスク本体を顔面に密着させることができるので、空気中に浮遊するウィルスが顔面とマスク本体との間からマスク本体内側へ侵入するのを確実に防止することができる。
【００１３】
また、マスク本体および保持ケースは、カップ状のフィルタ本体によって覆われた状態となるので、外観上はカップ状のフィルタ本体のみが見えることになり、外観上見栄えが良くなる。したがって、接客や通勤などでも顔面装着用マスクを躊躇することなく使用することができ、広範囲の分野での使用が可能となる。
【００１４】
請求項２に記載の発明によれば、フィルタ本体は、０．０８μ以上の大きさの飛沫粒子を遮断することが可能であるので、鳥インフルエンザウィルスや新型インフルエンザウィルスなどの空気中に浮遊する微細な粒子の人体内への侵入を確実に阻止することができる。
【図面の簡単な説明】
【００１５】
【図１】本発明の実施の形態に係わる顔面装着用マスクの使用状態を示す断面図である。
【図２】図１の顔面装着用マスクの斜視図である。
【図３】図１の顔面装着用マスクにおけるフィルタ部の斜視図である。
【図４】図３のＣ−Ｃ線に沿う断面図である。
【図５】図１の顔面装着用マスクの変形例を示す断面図である。
【図６】図１のマスク本体の側面図である。
【図７】図１のマスク本体の正面図である。
【図８】図１のマスク本体の背面図である。
【図９】図８のＡ−Ａ線に沿う断面図である。
【図１０】図８のＢ−Ｂ線に沿う断面図である。
【図１１】図１のフィルタ部のマスク本体への装着作業を示す側面図である。
【図１２】図１のフィルタ部とマスク本体との接続構造を示す部分拡大正面図である。
【図１３】図１のフィルタ部とマスク本体との接続完了状態を示す部分拡大断面図である。
【図１４】図１の顔面装着用マスクの使用状態を示す側面図である。
【発明を実施するための形態】
【００１６】
つぎに、この発明の実施の形態について図面を用いて詳しく説明する。
【００１７】
図１ないし図１４は、この発明の実施の形態を示している。図１および図１４に示すように、人体５０の顔面５０ａには、顔面装着用マスク１が装着されている。顔面装着用マスク１は、図１に示すように、マスク本体１０と、フィルタ部２０とを有している。マスク本体１０は、顔面５０ａと密着可能な弾性部材としてのゴムから構成されている。ゴムとしては、顔面５０ａに密着しやすくかつ容易に弾性変形可能なシリコーンゴムが望ましい。マスク本体１０は、鼻５１と口５２とを一緒に覆う覆部１１と、接続口１２とを有している。
【００１８】
図６ないし図８に示すように、覆部１１は略カップ状に形成されており、軽量化を図るために全体にわたり薄肉化されている。覆部１１の外周部は、顔面５０ａにおける鼻５１と口５２の周りに密着可能な接顔部１１ａに形成されている。すなわち、接顔部１１ａは顔面５０ａに密着するように、鼻５１と口５２の周りの形状に沿って延びるように形成されている。鼻５１と口５２を覆う覆部１１の中央部は、円弧状の隆起部１１ｂに形成されている。
【００１９】
図８に示すように、接顔部１１ａは、側部接顔部１１ａ１と、上部接顔部１１ａ２と、下部接顔部１１ａ３を有している。側部接顔部１１ａ１は、鼻５１と口５２の両側に位置する部位であり、顔面５０ａにおける鼻５１の上部から口５２の下方にかけて接触可能な部位である。上部接顔部１１ａ２は、鼻５１の上部と接触可能な部位である。下部接顔部１１ａ３は、顎前部５２ａと接触可能な部位である。接顔部１１ａは、顔面５０ａとの密着性を高めるために全周にわたり折返し構造となっており、上部接顔部１１ａ２は、折返しの部位が鼻５１の上部と接触可能となっている。同様に、側部接顔部１１ａ１は、折返し部が鼻５１と口５２の両側に位置する部位と接触可能となっている。
【００２０】
この実施の形態においては、接顔部１１ａを折返し構造とすることにより、接顔部１１ａをより弾性変形しやすくし、接顔部１１ａと顔面５０ａとの密着性を高めることが可能となっている。覆部１１には、顔面５０ａにマスク本体１０を装着するためのゴム製の保持バンド１５が取付けられている。保持バンド１５は、一端部１５ａが覆部１１の一方の側部接顔部１１ａ１近傍に連結されており、他端部１５ｂは、覆部１１の他方の側部接顔部１１ａ１近傍に連結されている。
【００２１】
覆部１１のほぼ中央部には、接続口１２が設けられている。すなわち、接続口１２は、
上部接顔部１１ａ２の下方で、かつ下部接顔部１１ａ３の上方に位置している。接続口１２は、例えば合成樹脂から構成されており、筒部１２ａとフランジ部１２ｂとを有している。筒部１２ａは、円筒状に形成されており、筒部１２ａの一端部には環状のフランジ部１２ｂが形成されている。筒部１２ａとフランジ部１２ｂは、一体成形されている。覆部１１には、覆部１１の内側と外側とを貫通する貫通穴１１ｃが形成されている。フランジ部１２ｂは、覆部１１の貫通穴１１ｃの外縁部に密着した状態で接合されている。これにより、接続口１２は、マスク本体１０の覆部１１に気密性をもって固定されている。接続口１２の内側には、マスク本体１０の内側と外側とを連通する第１の空気通路１４が形成されている。
【００２２】
筒部１２ａの外周部には、２本の連結ピン１３が取付けられている。各連結ピン１３は、軸心Ｅを中心として対向して配置されている。連結ピン１３は、例えば耐腐食性に優れた金属部材から構成されている。連結ピン１３は、棒状の係合ピン部１３ａと平板状の頭部１３ｂとを有している。頭部１３ｂは、係合ピン部１３ａの一端部に形成されており、径が係合ピン部１３ａよりも大に形成されている。係合ピン部１３ａの他端部は、筒部１２ａに固定されている。
【００２３】
マスク本体１０の接続口１２には、外気とマスク本体１０の内側とを連通するフィルタ部２０が接続されている。フィルタ部２０は、マスク本体１０の接続口１２に対して着脱自在となっている。すなわち、マスク本体１０は長期間にわたって使用することが可能であるのに対し、フィルタ部２０は一定期間使用した後は廃棄されることから、フィルタ部２０はマスク本体１０の接続口１２に対して容易に着脱可能となっている。フィルタ部２０は、保持ケース２１と、複数の通気用リブ２４と、フィルタ本体２６と、通気路２７とを有している。
【００２４】
保持ケース２１は、マスク本体１０の覆部１１とほぼ相似形をした円弧状のカップ状に形成されている。図１に示すように、保持ケース２１は所定の間隔をもってマスク本体１０と対向するように配置されており、マスク本体１０の全体を覆っている。保持ケース２１の外面には、軸心Ｅ回りに複数の通気用リブ２４が形成されている。複数の通気用リブ２４は、図４に示すように、保持ケース２１の外面から外方に突出している。図１および図３に示すように、通気用リブ２４は、保持ケース２１の外縁部２１ａから保持ケース２１の中央部に向けて延びている。保持ケース２１と通気用リブ２４は、合成樹脂から構成されている。保持ケース２１と通気用リブ２４は、別部材から構成し互いに接合する構造としてもよいが、この実施の形態においては、保持ケース２１と通気用リブ２４は一体成形されている。
【００２５】
保持ケース２１の中央部には、外方に突出する通気筒部２１ａが形成されている。通気筒部２１ａの先端部には、半径方向内方に延びるパッキン保持部２１ｃが形成されている。通気筒部２１ａには、接続用筒部２２が設けられている。接続用筒部２２は、図１２に示すように、内側にマスク本体１０側の筒部１２ａが進入可能な円筒形をしており、マスク本体１０の覆部１１に向かって延びている。保持ケース２１と接続用筒部２２は、合成樹脂から構成されている。接続用筒部２２は、保持ケース２１と別部材で構成してもよいが、この実施の形態においては、接続用筒部２２は保持ケース２１と一体成形されている。
【００２６】
複数の通気用リブ２４の外側には、シート状部材からなるフィルタ本体２６が設けられている。フィルタ本体２６は、保持ケース２１とほぼ相似形をした円弧状のカップ状に形成されている。フィルタ本体２６は、複数の通気用リブ２４を介して保持ケース２１の外面側を覆っている。フィルタ本体２６の外周部２６ａは、全周にわたって保持ケース２１の外周縁２１ａの外側と接合されている。図４に示すように、フィルタ本体２６の内面側は、複数の通気用リブ２４の上端面２４ａによって支持されており、フィルタ本体２６と保持ケース２１との間には、複数の通気用リブ２４によって複数の通気路２７が形成されている。各通気路２７は、保持ケース２１の外周部側から中心部に向かって延びている。
【００２７】
フィルタ本体２６は、空気中に浮遊する微細な物質を捕捉する機能を有している。この実施の形態においては、フィルタ本体２６は、インフルエンザウィルスを捕捉する機能を有する種類のものが用いられている。フィルタ本体２６は、０．０８μ（１０−６ｍ）以上の大きさの飛沫粒子を遮断することが可能となっている。フィルタ本体２６は、捕捉する飛沫粒子の種類によって最適な性能のものを選択することができる。
【００２８】
図５は、シート状のフィルタ本体２６と保持ケース２１との接合構造の変形例を示している。図１においては、フィルタ本体２６の外周部２６ａは、全周にわたって保持ケース２１の外周縁２１ａの外側のみと接合される構成としているが、図５に示すように、フィルタ本体２６の外周部２６ａを折返し、折返し部２６ｂを保持ケース２１の外周縁２１ａの外側と接合させる構造とすれば、保持ケース２１との接合面積を大に確保することができ、気密性をさらに高めることが可能となる。
【００２９】
接続用筒部２２の内側には、シール部材であるパッキン２５が収納されている。パッキン２５は、マスク本体１０側の接続口１２による押圧によって弾性変形可能となっている。パッキン２５は、リング状に形成されており、断面形状が四角形となっている。パッキン２５の外周面は、接続用筒部２２の内面と嵌合している。パッキン２５の内周面は、パッキン保持部２１ｃの内周面と一致している。パッキン２５の一側は、パッキン保持部２１ｃと密着しており、パッキン保持部２１ｃによって保持されている。パッキン保持部２１ｃの内側およびパッキン２５の内側は、通気路２７と連通する第２の空気通路２８に形成されている。
【００３０】
第２の空気通路２８は、フィルタ本体２６を介して吸込まれた空気をマスク本体１０側に流す機能を有している。また、第２の空気通路２８は、鼻５１と口５２から吐き出された空気をフィルタ本体２６を介して外部に排出する機能とを有している。このように、マスク本体１０は通気性を有していないので、呼吸はすべてフィルタ本体２６を介して行われる。
【００３１】
接続用筒部２２の外面と通気筒部２１ａの内面との間には、連結ピン１３の頭部１３ｂが進入可能な逃がし空間部２９が形成されている。図１２に示すように、接続用筒部２２には、連結ピン１３と係合可能な係合溝２３が形成されている。係合溝２３は、先端溝部２３ａ、傾斜溝部２３ｂ、奥側溝部２３ｃ、ロック溝部２３ｃを有している。先端溝部２３ａは、接続用筒部２２の端部に形成されており、軸心Ｅに沿って延びている。傾斜溝部２３ｂは、先端溝部２３ａに連なって形成されており、接続用筒部２２の外面に沿って周方向に延びている。奥側溝部２３ｃは、傾斜溝部２３ｂに連なって形成されており、軸心Ｅに対して直交する方向に延びている。ロック溝部２３ｃは、奥側溝部２３ｃの終端部に形成されている。
【００３２】
係合溝２３の各溝部は、連結ピン１３の係合ピン部１３ａが通過可能な幅に形成されている。連結ピン１３は、係合溝２３のロック溝部２３ｃまで進入可能となっている。連結ピン１３がロック溝部２３ｃまで進入した状態では、図１３に示すように、マスク本体１０側に設けられた接続口１２の筒部１２ａの端部がパッキン２５に当接し、筒部１２ａの端部がパッキン２５と密着するようになっている。これにより、マスク本体１０とフィルタ部２０とを接続した際の接続部分の気密性が保たれるようになっている。
【００３３】
この実施の形態においては、マスク本体１０は第１の空気通路１４以外に外部と連通しない構成となっているが、排気弁１６を採用することにより排気時のみ外部と連通する構成を採用してもよい。例えば、排気弁１６は、覆部１１における貫通穴１１ｃの近傍に設けるのが望ましい。排気弁１６は、マスク本体１０の内側から外側への空気の流れを許すとともに、マスク本体１０の外側から内側への空気の流れを阻止する機能を有している。排気弁１６を採用することにより、鼻５１や口５２１０から排出された空気を容易にマスク本体内から外部に排出することができ、呼吸が容易となる。
【００３４】
つぎに、顔面装着用マスク１の使用方法および作用について説明する。
【００３５】
使用開始に際しては、まずマスク本体１０にフィルタ部２０を接続する。フィルタ２０部の接続は、接続用筒部２２の係合溝２３とマスク本体１０の連結ピン１３とを係合させることにより行う。ここで、係合溝２３に連結ピン１３の係合ピン部１３ａを進入させ、図１１に示すようにフィルタ部２０を軸心Ｅを中心として矢印Ｆ方向に回動させることにより、係合ピン部１３ａは傾斜溝部２３ｂを経由して奥側溝部２３ｃまで移動する。係合ピン部１３ａが傾斜溝部２３ｂする際は、マスク本体１０の筒部１２ａの先端面がパッキン２５に向かって移動することになる。そして、係合ピン部１３ａが奥側溝部２３ｃに到達し、ロック溝部２３ｃと係合した状態では、マスク本体１０の筒部１２ａの先端面がパッキン２５を十分に押圧した状態となる。これにより、マスク本体１０とフィルタ部２０との接続が完了した状態では、マスク本体１０側の第１の空気通路１４とフィルタ部２０側の第２の空気通路２８とが連通状態になるとともに、マスク本体１０とフィルタ部２０との接続部分の気密性が十分に高い状態に維持される。
【００３６】
フィルタ部２０のマスク本体１０への接続が完了すると、マスク本体１０を顔面５０ａに装着する。ここで、マスク本体１０にはゴム製の保持バンド１５が取付けられているので、保持バンド１５の中央部を後頭部５０ｂに掛けることより、マスク本体１０を顔面５０ａに密着した状態で装着させることができる。すなわち、マスク本体１０はシリコーンゴムから構成されており、接顔部１１ａは弾性変形が容易となるように全周にわたり折返し構造となっているので、マスク本体１０は接顔部１１ａが顔面５０ａに完全に密着した状態となり、マスク本体１０と顔面５０ａとの接触部分に隙間は生じない。ここで、マスク本体１０は、薄肉の弾性部材から構成されているので、保持バンド１５によるマスク本体１０の顔面５０ａへの装着力を強くした場合でも、マスク本体１０全体が容易に弾性変形し、接顔部１１ａが顔面５０ａに強く食い込むことはなく、圧迫感を解消することができる。
【００３７】
また、マスク本体１０は通気性を有しないので、鼻５１と口５２による呼吸は必ずフィルタ本体２６を介して行うことになる。フィルタ部２０は、フィルタ本体２６を介してマスク本体１０の内側を連通しているので、フィルタ本体２６から流入した空気は、フィルタ本体２６を介して鼻５１と口５２から人体内に送られる。フィルタ本体２６は、空気中に浮遊するインフルエンザウィルスを捕捉する機能を有しているので、鼻５１と口５２に送られる空気はインフルエンザウィルスが完全に除去されており、人体内にインフルエンザウィルスが侵入するのを防止することができる。
【００３８】
近年は、毒性の強いウィルスを有する鳥インフルエンザや新型インフルエンザが流行する兆しがあり、これらのウィルスの人体５０への侵入を完全に遮断することが必要となるが、この実施の形態のように、マスク本体１０を通気性を有しない構造にするとともに、マスク本体１０を顔面に完全に密着させることにより、呼吸はフィルタ本体２６のみを介して行われ、鳥インフルエンザウィルスや新型インフルエンザウィルスが人体５０内に侵入するのを確実に防止することができる。
【００３９】
フィルタ部２０は、一定期間使用した後はマスク本体１０から取外され、廃棄される。ここで、フィルタ部２０をマスク本体１０から取外す際は、まず連結ピン１３の係合ピン部１３ａロック溝部２３ｃとの係合を解除する。その後、フィルタ部２０を図１１に示す軸心Ｅを中心として矢印Ｆ方向と反対方向に回動させることにより、連結ピン１３を係合溝２３から退出させる。そして、新品のフィルタ部２０を上述の手順でマスク本体１０に取り付ける。
【００４０】
図１４は、顔面装着用マスク１の使用状態を示している。図１４に示すように、マスク本体１０は、マスク本体１０および保持ケース２１は、カップ状のフィルタ本体２６によって覆われた状態となるので、外観上はフィルタ部２０におけるカップ状のフィルタ本体２６のみが見えることになり、外観上見栄えが良くなる。したがって、接客や通勤などでも顔面装着用マスク１を躊躇することなく使用することができ、広範囲の分野での使用が可能となる。
【００４１】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、マスク本体１０の覆部１１をすべて弾性部材から構成したが、少なくとも顔面に密着する接顔部１１ａを弾性部材から構成し、他の部位を通気性のない別部材から構成するようにしてもよい。また、マスク本体１０の弾性部材は、シリコーンゴムに限定されず、容易に弾性変形する柔らかな生ゴムなどを用いた構成としてもよい。そして、接続口１２とフィルタ部２０との接続構造は、連結ピン１３を用いる構造に限定されず、ネジを利用した螺合構造としてもよい。
【００４２】
さらに、この実施の形態においては、一枚のシート状部材から構成されるフィルタ本体２６によって鳥インフルエンザウィルスや新型インフルエンザウィルスの人体５０内への侵入を遮断するようにしているが、複数枚のフィルタ本体２６を重ね合わせて使用する構成としてもよい。また、フィルタ本体２６は、鳥インフルエンザウィルスや新型インフルエンザウィルスなど０．０８μ以上の大きさの飛沫粒子を捕捉することが可能である種類のものを採用しているが、フィルタ本体２６の種類はこれに限定されることはなく、空気中に浮遊する花粉などその他の微細な物質を捕捉することが可能なフィルタ本体２６を採用することは勿論可能である。
【符号の説明】
【００４３】
１          顔面装着用マスク
１０        マスク本体
１１        覆部
１１ａ      接顔部
１２        接続口
１３        連結ピン
１６        排気弁
２０        フィルタ部
２１        保持ケース
２２        接続用筒部
２３        係合溝
２４        通気用リブ
２５        パッキン
２６        フィルタ本体
２７        通気路
５０        人体
５０ａ      顔面
５０ｂ      後頭部
５１        鼻
５２        口
【図１】
2011104166.tif 000003
【図２】
2011104166.tif 000004
【図３】
2011104166.tif 000005
【図４】
2011104166.tif 000006
【図５】
2011104166.tif 000007
【図６】
2011104166.tif 000008
【図７】
2011104166.tif 000009
【図８】
2011104166.tif 000010
【図９】
2011104166.tif 000011
【図１０】
2011104166.tif 000012
【図１１】
2011104166.tif 000013
【図１２】
2011104166.tif 000014
【図１３】
2011104166.tif 000015
【図１４】
2011104166.tif 000016